(57)【要約】【課題】一般ユーザ自身の撮影により取得した画像データと他から提供された画像データのように異なる撮影者の撮影によって取得された複数の画像データを適切に組み合わせて再生すること。【解決手段】個人画像データの再生中に、この個人画像データに対して少なくとも撮影場所で関連する提供画像データ、例えば個人画像データを取得した撮影場所と一致又は個人画像データを取得した撮影場所の付近で撮影された提供画像データを補助画像データとして再生する。【選択図】図５
2009232114.tif 000002
【特許請求の範囲】
【請求項１】
第１の画像データを再生する画像再生装置において、
前記第１の画像データに対して関連する撮影場所で異なる撮影者により撮影された第２の画像データを、前記第１の画像データを補助する補助画像データとして前記第１の画像データに関連する順番で再生する再生制御部、
を具備することを特徴とする画像再生装置。
【請求項２】
前記再生制御部は、前記第１の画像データを取得した撮影場所と一致又は前記第１の画像データを取得した撮影場所の付近で撮影された前記第２の画像データを前記補助画像データとすることを特徴とする請求項１記載の画像再生装置。
【請求項３】
少なくとも前記第１と前記第２の画像データを記憶する記憶媒体と、
前記記憶媒体から前記第１の画像データの前記撮影場所と一致又は前記第１の画像データの前記撮影場所の付近で撮影された前記第２の画像データを前記補助画像データとして検索する検索部と、
を有することを特徴とする請求項１記載の画像再生装置。
【請求項４】
前記記憶媒体には、前記第１と前記第２の画像データが少なくとも同一又は互いに付近の撮影場所で撮影されたことを示すグループ情報が記憶され、
前記再生制御部は、前記記憶媒体に記憶されている前記グループ情報に基づいて前記第１の画像データに対して少なくとも撮影場所で関連する前記第２の画像データを前記補助画像データとして再生する、
ことを特徴とする請求項３記載の画像再生装置。
【請求項５】
少なくとも前記第１と前記第２の画像データが記憶される記憶媒体と、
前記第２の画像データが記憶される外部データベースとの間で通信可能な通信部と、
前記通信部によって前記外部データベースから入手した前記第２の画像データを前記記憶媒体に記憶する記録再生部と、
を有することを特徴とする請求項１記載の画像再生装置。
【請求項６】
前記再生制御部は、前記第１の画像データを再生する時間的に前又は後のうちいずれか一方に、前記第１の画像データに関連する前記補助画像データを再生する順番を設定することを特徴とする請求項１記載の画像再生装置。
【請求項７】
前記再生制御部は、複数の前記第１の画像データをスライドショーにより連続的に再生するときに、前記各第１の画像データと当該第１の画像データに関連する前記補助画像データとを連続して再生することを特徴とする請求項１記載の画像再生装置。
【請求項８】
少なくとも１つの前記補助画像データを縮小し、当該縮小された前記補助画像データを前記第１の画像データに合成して合成画像データを作成する画像合成部を有し、
前記再生制御部は、前記画像合成部により作成された前記合成画像データを再生する、
ことを特徴とする請求項１記載の画像再生装置。
【請求項９】
前記縮小した前記補助画像データが選択された場合には、前記画像合成部は、前記選択された補助画像データである前記第２の画像データを拡大し共、かつ前記第１の画像データを縮小した合成画像データを作成し、
前記再生制御部は、前記画像合成部により作成された前記合成画像データを作成する、
ことを特徴とする請求項８記載の画像再生装置。
【請求項１０】
前記再生制御部は、前記補助画像データに対応して音声データを有すると、前記音声データを前記第１の画像データに関連する順番で再生することを特徴とする請求項１記載の画像再生装置。
【請求項１１】
前記再生制御部は、前記補助画像データに前記音声データが添付されていると、当該補助画像データの再生すると共に、前記音声データを音声として再生することを特徴とする請求項１０記載の画像再生装置。
【請求項１２】
前記第１の画像データは、一般ユーザにより撮影された画像データで、かつ前記第２の画像データは、事業者により提供された画像データである、
ことを特徴とする請求項１記載の画像再生装置。
【請求項１３】
前記再生制御部は、前記第１の画像データの撮影日時と前記補助画像データに添付された情報と基づいて前記補助画像データの再生タイミングを決定することを特徴とする請求項１記載の画像再生装置。
【請求項１４】
前記再生制御部は、前記補助画像データを識別するための識別符号を当該第２の画像データに添付することを特徴とする請求項１記載の画像再生装置。
【請求項１５】
所定の順番で画像データを再生する画像再生方法において、
一般ユーザにより撮影された第１の画像データの再生中に、前記第１の画像データに対して撮影場所が関連し事業者により提供された第２の画像データを前記第１の画像データを補助する補助画像データとして前記第１の画像データに関連する順番で再生する、
ことを特徴とする画像再生方法。
【請求項１６】
コンピュータにより実行され、所定の順番で画像データを再生するための画像再生プログラムにおいて、
一般ユーザにより撮影された第１の画像データの再生中に、前記第１の画像データに対して撮影場所が関連し事業者により提供された第２の画像データを前記第１の画像データを補助する補助画像データとして前記第１の画像データに関連する順番で再生させる、
ことを特徴とする画像再生プログラム。
【発明の詳細な説明】
【技術分野】
【０００１】
本発明は、例えば異なる撮影者の撮影により取得された複数の画像データを組み合わせて再生する画像再生装置及びその方法並びに画像再生プログラムに関する。
【背景技術】
【０００２】
一般ユーザは、旅行などにカメラを持っていけば、例えば各地で名所・旧跡での記念撮影や、散策してスナップ写真を撮影したりして、記念となる自分だけの画像をカメラに収めることができる。そして、一般ユーザは、撮影した画像があれば、家に帰ってから折に触れてかかる画像を再生して旅の思い出にふけり、その楽しかった時間を懐かしむことができる。  
ところが、一般ユーザ自身で撮影した画像を再生してみると物足りないと感じることが多い。この理由は、一般ユーザ自身の撮影した画像は、ついつい似たようなシーンばかりが多くなることで退屈になったり、或いはプロフッショナルのカメラマンの撮影により取得された厳選された画像に比べると当然見劣りする画像ばかりなので、見飽きてしまうからである。
【０００３】
テレビジョン（ＴＶ）では、その地でのベストスポットの映像が放映されたり、雑誌等には、その地でのベストスポットの画像が掲載される。ところが、実際の旅行では、時間的制約や天候等の条件等で、ＴＶや雑誌等と同じような画像を撮影することができない場合も多く、頭に描いたような画像を撮れないことも、自分の撮影画像を見てもあまり楽しめない理由の１つであろう。
【０００４】
一方、インターネットの世界的普及と情報通信の高速化とその低価格に代表されるように情報通信システムの環境インフラは、急激に整備されている。これにより、情報通信システムを観光地からの情報発信に利用する技術が例えば特許文献１、２等のように色々提案されている。  
特許文献１は、画像データとこの画像データに関連する観光地等を識別するイベント情報とを取得し、このイベント情報に基づいた適切なコンテンツをイベント情報と関連付けてコンテンツを記録しているコンテンツ提供サイトに対して検索を行い、このコンテンツ提供サイトから検索したコンテンツを受信して、上記取得した画像と上記受信したコンテンツとを貼り付けた電子アルバムを作成する電子アルバム作成システムを開示する。  
特許文献２は、個人で撮影したデジタル画像データに、例えば観光地等の撮影地点固有の画像データを合成した写真プリントを手軽に入手できる写真プリント注文システムを開示する。
【特許文献１】特開２００２−３５８３１０号公報
【特許文献２】特開２００２−６３４４３号公報
【発明の開示】
【発明が解決しようとする課題】
【０００５】
観光地や施設固有の画像については、わざわざ一般ユーザ自身で撮影しなくてもネットワーク等を通して入手できる環境が整っている。ネットワーク等を通して提供された画像は、一般ユーザ自身で撮影した画像よりも数段うまく撮られていることも多い。そうかと言って一般ユーザ自身で撮影した画像が不要かというと決してそんなことはない。一般ユーザ自身の撮影により取得した画像は、一般ユーザ自身や家族が写っている貴重な画像であり、下手な撮影であってもそれなりに見て楽しく大切な記念である。
【０００６】
一般ユーザ自身の撮影により取得した画像と観光施設等からネットワーク等を通して提供される画像とを適切に組み合わせて再生できれば、一般ユーザにとって画像を見る楽しみが倍加すると予想される。しかしながら、一般ユーザ自身の撮影により取得した画像データと観光施設から提供された画像データとを組み合せるためには、画像編集装置等で各画像データの並べ替え等の処理を行わなければならない。そのため各画像データの順番を並べ直すのには、手間がかかりすぎる。しかるに、手間をかけずに、一般ユーザ自身の撮影により取得した画像データと提供された画像データとを適切なタイミングで再生する装置が要望されている。
【０００７】
本発明は、上記課題に鑑みてなされたもので、一般ユーザ自身の撮影により取得した画像データと他から提供された画像データのように異なる撮影者の撮影によって取得された複数の画像データを適切に組み合わせて再生することができる画像再生装置及びその方法並びに画像再生プログラムを提供することを目的とする。
【課題を解決するための手段】
【０００８】
本発明の主要な局面に係る第１の画像データを再生する画像再生装置は、第１の画像データに対して関連する撮影場所で異なる撮影者により撮影された第２の画像データを、第１の画像データを補助する補助画像データとして第１の画像データに関連する順番で再生する再生制御部を具備する。  
本発明の主要な局面に係る所定の順番で画像データを再生する画像再生方法は、一般ユーザにより撮影された第１の画像データの再生中に、第１の画像データに対して撮影場所が関連し事業者により提供された第２の画像データを第１の画像データを補助する補助画像データとして第１の画像データに関連する順番で再生する。  
本発明の主要な局面に係る所定の順番で画像データを再生するための画像再生プログラムは、コンピュータにより実行され、一般ユーザにより撮影された第１の画像データの再生中に、第１の画像データに対して撮影場所が関連し事業者により提供された第２の画像データを第１の画像データを補助する補助画像データとして第１の画像データに関連する順番で再生させる。
【発明の効果】
【０００９】
本発明によれば、一般ユーザ自身の撮影により取得した画像データと他から提供された画像データのように異なる撮影者の撮影によって取得された複数の画像データを適切に組み合わせて再生することができる画像再生装置及びその方法並びに画像再生プログラムを提供できる。
【発明を実施するための最良の形態】
【００１０】
以下、本発明の一実施の形態について図面を参照して説明する。  
図１は画像再生装置を適用したデジタルのカメラ１のブロック構成図を示す。カメラ１は、ＣＰＵ等のコンピュータから成る制御部１１を搭載する。この制御部１１には、バスライン１２を介して各種制御プログラム等を記憶するＲＯＭ１３と、撮像部１４と、ＲＡＭ１５と、記録再生部１６と、記憶部１７と、表示制御部１８と、位置検出部１９と、音声処理部２０と、通信部２１とが接続されている。なお、バスライン１２は、カメラ１内部においてＲＯＭ１３と、撮像部１４と、ＲＡＭ１５と、記録再生部１６と、記憶部１７と、表示制御部１８と、位置検出部１９と、音声処理部２０と、通信部２１との間で画像データやコマンドデータの通信を可能とする。  
又、制御部１１には、操作部２２が接続されている。表示制御部１８には、表示部２３が接続されている。音声処理部２０には、スピーカ２４が接続されている。又、通信部２１には、ネットワーク３０を介して外部サーバ３１が接続されている。この外部サーバ３１には、外部データベース３２が接続されている。
【００１１】
制御部１１は、ＲＯＭ１３に記憶されているカメラ１を統括的に制御するための主制御プログラムや画像の再生を制御するための画像再生プログラムを含む各種制御プログラムを読み込み、この読み込んだ各種制御プログラムに基づいてカメラ１を統括的に制御する。このうち画像再生プログラムは、ＣＰＵ等から成るコンピュータにより実行され、第１の画像データ、例えば個人の一般ユーザの撮影により取得された画像データ（以下、個人画像データと称する）を再生するもので、この個人画像データの再生中に、この個人画像データに対して少なくとも撮影場所で関連する第２の画像データ、例えば後述するネットワーク３０を通して外部データベース３２から検索された個人画像データの撮影場所と同一撮影場所又はその付近の撮影場所の撮影により取得された画像データ（以下、提供画像データと称する）を個人画像データを補助する補助画像データとして個人画像データに関連する順番で再生させる。
【００１２】
ＲＯＭ１３は、予め上記各種制御プログラムを記憶すると共に、各種データを記憶する。このＲＯＭ１３は、例えば不揮発性のメモリから成る。  
撮像部１４は、被写体を撮影してその画像データを取得するもので、撮影用レンズやレンズ駆動部を有する光学部と、この光学部によって結像される被写体像を光電変換する撮像素子と、この撮像素子から出力された画像信号に各種信号処理を行って画像データを作成する画像回路等とから成る。  
ＲＡＭ１５は、撮影時に、撮像部１４から出力される画像データを格納し、この画像データに対するデジタル処理を実行するときの作業用メモリとして用いられる。このＲＡＭ１５は、例えばＤＲＡＭから形成される。
【００１３】
記録再生部１６は、撮影時に、ＲＡＭ１５に記憶された画像データに対して圧縮処理、例えばＪＰＥＧ、ＭＰＥＧ等を行う画像圧縮部と、この画像圧縮部により圧縮された画像データを記憶部１７に記憶する画像記録部と、再生時に記憶部１７に記憶された画像データを読み出す画像再生部と、圧縮された画像データを伸長する画像伸長部とを有する。  
又、記録再生部１６は、例えば画像データに添付されている音声データを圧縮して記録する音声記録部と、記録された音声データを読み出して伸長する音声再生部とを有する。  
記憶部１７は、例えば記録再生部１６によって圧縮された画像データや音声データを保管するもので、例えば不揮発性のメモリから成る。この記憶部１７は、例えばハードディスクやフラッシュメモリから形成され、カメラ１に対して着脱可能、又は内蔵のいずれでもよい。この記憶部１７は、外部から提供されるプログラムを記憶可能である。
【００１４】
表示制御部１８は、撮影時に、撮影された画像データを表示部２３に合わせたリサイズ処理やγ等の画像処理を行ってモニタ画像として表示部２３に表示させ、かつ再生時に、記録されている画像データを上記同様にリサイズ処理やγ等の画像処理を行って表示部２３に表示する。
【００１５】
又、表示制御部１８は、画像合成部１８ａを有する。この画像合成部１８ａは、適宜縮小処理を施して複数の画像データを合成して１つの合成画像データを作成する。  
表示部２３は、表示制御部１８の制御を受けて例えばモニタ画像データ、再生画像データ又は合成画像データ等を表示する。この表示部２３は、例えば液晶ディスプレイ（ＬＣＤ）や有機ＥＬから構成される。
【００１６】
位置検出部１９は、例えば撮影時に起動してＧＰＳ（Ｇlobal Ｐositioning Ｓystem）信号を検出し、このＧＰＳ信号に基づいてカメラ１の現在在る位置すなわち撮影場所を特定し、その撮影場所データを出力する。この位置検出部１９が撮影時に起動すると、記録再生部１６は、位置検出部１９によって特定した撮影場所データを撮影部１４の撮影により取得した画像データの管理情報の一部として、この画像データと共に記憶部１７に書き込む。  
音声処理部２０は、音声出力時に、記録再生部１６の音声再生部によって伸長された音声データをアナログの音声信号に変換してスピーカ２１に出力し、このスピーカ２１を鳴動する。  
スピーカ２１は、音声処理部２０から出力されたアナログの音声信号を音声に変換して発呼する。
【００１７】
通信部２１は、カメラ１と外部機器、例えば外部サーバ３１との間で例えば画像データや音声データの送信・受信を制御する。この通信部２１は、ネットワーク３０を介してインターネットサイト等により外部サーバ３１接続され、この外部サーバ３１から提供画像データ等の各種データを入手可能である。この通信部２１は、例えばＵＳＢ（Ｕniversal Ｓerial Ｂus）規格に従って構成されている。  
操作部２２は、カメラ１に対する操作者（一般ユーザ）の操作を受けるもので、制御部１１に操作情報を通知する。操作者による操作入力としては、例えば撮影モードと再生モードとの切り替えである。
【００１８】
当該カメラ１は、例えば実質的に同一場所すなわち撮影場所が一致又はその撮影場所の付近の撮影により取得した画像データでありながらタイプの異なる２種類以上の各画像データを適切なタイミングで組み合わせて再生する。タイプの異なる各画像データの組み合せの代表例としては、例えば一般ユーザが個人的に撮影して取得した個人の画像データ（個人画像データ）と、会社や企業（いわゆる事業者）によって提供される画像データ（提供画像データ）との組み合わせがある。以下、個人（一般ユーザ）画像データと事業者からの提供画像データとの組み合わせについて説明するが、タイプの異なる各画像データの組み合せの他の例としては、例えば同じ個人レベルの画像データであっても、個人画像データと他人の画像データとの組み合わせにも適用できる。
【００１９】
外部サーバ３１には、外部データベース３２が接続されている。この外部データベース３２には、例えば観光地、美術館、博物館、ホテル、ショップ等々（以下、事業者或いは外部施設と称する）のホームページ（ＨＰ）の各種情報が蓄積されている。このホームページ情報は、例えば外部施設から個人に提供される提供画像データを含む。この提供画像データの内容は、例えば観光地であれば代表的な風景、有名や建造物、名物料理等である。例えば、ホテルの提供画像データＤ１であれば、例えば建物の外観、客室内部の画像、コース料理のメニュー等である。ケーキ店の提供画像データＤ２であれば、例えば店の外観や現在人気ナンバーワンのお奨めケーキ等である。宝石ショップの提供画像データＤ３であれば、例えば店を代表する高価なネックレスや指輪等である。
【００２０】
ホームページ情報は、画像データに限らず、例えば音声データやテキストデータがあれば、これら音声データやテキストデータも合わせて提供する。そして、ホームページ情報は、提供画像データの単独の提供でなく、提供画像データを顧客（個人）の画像データと適切に組み合わせるためのタイミングの手順を書き込んだタイミングデータも用意されていれば、このタイミングデータも画像データと共に提供する。
【００２１】
通信部２１は、操作部２２に対して行われた操作者の指示を受け、この操作者の指示に従って当該操作者の希望する外部施設の外部サーバ３１にアクセスし、この外部サーバ３１から提供画像データ、提供音声データ、タイミングデータ等の各種データを受信する。  
記録再生部１６は、通信部２１により受信した提供画像データ、音声データ、タイミングデータ等の各種データを記憶部１７に記憶する。この記録再生部１６は、記憶部１７への記憶の際に提供画像データであることを識別するためのフラグ、例えば「１」を提供画像データに付帯する。
【００２２】
制御部１１は、ＲＯＭ１３に記憶されている画像再生プログラムを実行することにより各種制御処理を実行するが、本実施の形態で特徴的な処理を再生制御部１１ａと検索部１１ｂとと称する。  
再生制御部１１ａは、画像データの再生時に、記憶部１７から個人画像データや提供画像データ等の画像データを読み出し、これら読み出した画像データの付帯情報に基づいて再生順番の設定、表示制御部１８の制御等を行い、個人画像データや提供画像データの再生動作を制御する。この再生制御部１１ａは、スライドショーを行う場合、例えば個人の撮影により取得した個人画像データを再生する順番を撮影日時に従って設定する。又、再生制御部１１ａは、提供画像データを含む個人画像データを再生する際、個人画像データと提供画像データとの各再生順番を設定する。
【００２３】
又、再生制御部１１ａは、提供画像データにタイミングデータが付属されていた場合、当該タイミングデータを参照して再生順番を設定する。タイミングデータは、個人画像データの再生中に、提供画像データを如何なるタイミングで割り込ませるかを、再生する個人画像データの撮影日時に応じて決めるためのデータである。例えば再生を要望する表示時間が例えば時刻１８：００と記載されている提供画像データであれば、再生制御部１１ａは、複数の個人画像データの再生中に、表示時刻１８：００の近辺に各個人画像データに割り込んで提供画像データを再生する。なお、個人画像データと提供画像データとの再生順番の態様は、複数用意されていてもよく、操作者の選択に応じる。
【００２４】
検索部１１ｂは、画像データの再生時に、画像ファイルに付帯されている提供画像データであることを示すフラグ「１」を目印にして記憶部１７から提供画像データのファイル名を抽出し、このファイル名と撮影場所データをＲＯＭ１３に記録する。  
検索部１１ｂは、提供画像データ以外の画像データ、例えば個人画像データの撮影場所データを読み出し、これら読み出された複数の画像データの中から撮影場所データと同一位置、又はかかる撮影場所付近の撮影場所データを有する提供画像データをさらに検索する。また、個人画像データと提供画像データとの対応関連を示す情報が各画像ファイルに別途記載されていれば、検索部１１ｂは、撮影場所データでなく上記対応関連を示す情報に基づいて提供画像データを検索するようにしてもよい。又、検索部１１ｂは、例えば外部のデータベースからも個人画像データの撮影場所に対応する提供画像データを検索する。
【００２５】
記録再生部１６は、再生制御部１１ａの制御を受けて設定された順番で随時記憶部１７から再生するための画像データを読み出して伸長処理する。  
表示制御部１８は、記録再生部１６により伸長処理された画像データを受け取り、この画像データを表示部２３に表示する。この表示制御部１８の画像合成部１８ａは、再生制御部１１ａから個人画像データと提供画像データとの合成指示を受けると、いずれかに所定の縮小処理をしてこれら個人画像データと提供画像データとの合成画像データを作成する。
【００２６】
次に、所定のタイミングで再生される個人画像データと提供画像データとについて具体的に説明する。  
図２は記憶部１７に記憶されている個人画像データや提供画像データ等の複数の画像データの内容の模式図を示す。記憶部１７には、各画像データの内容を示すために番号（画像番号Ｎｏ）と、ファイル名と、撮影場所と、撮影（入手）日時と、提供画像データと、グループとの各欄が形成されている。各画像データには、それぞれファイル名が付けられている。これら画像データは、画像番号の順番に従って並べられている。この画像番号は、ファイルの入手順番に付される。個人画像データについては、撮影日時を基準に順番が決定される。提供画像データについては、外部から受信等して記憶部１７に記憶された日時（入手の日時）を基準に順番が決定される。個人画像データと提供画像データとは、混在して並んでいる。
【００２７】
これら画像データには、撮影場所、撮影日時、提供画像データであるかの情報（フラグ）が添付されている。このうち撮影場所の情報は、位置検出部１９によって検出された撮影時の撮影場所を示すデータである。この撮影場所を示すデータは、例えば緯度経度の情報でもよいし、地名や地番の情報でもよい。  
撮影日時の情報は、個人の画像データに対して実際の撮影日時を示し、提供画像データに対して当該カメラ１の記憶部１７に記憶された入手日時を示す。
【００２８】
提供画像データの情報は、画像データのファイルが提供画像データであるのか否かを示すフラグの内容を示す。例えば、フラグの内容が「１」であればその画像データは提供画像データであることを示し、フラグの内容が「０」であればその画像データは個人画像データであることを示す。例えば、画像データの番号１は、ファイル名「００１０１.ｊｐｇ」であり、撮影場所「Ｐ０」であり、撮影日時「２００７年５月１０日６：００」であり、かつ提供画像の欄に「０」が記録されていることから個人の画像データであることを示す。
【００２９】
グループ欄は、個人画像データと提供画像データとの関係を示す。このグループ欄には、組み合せて再生される関係にある個人画像データと提供画像データとを示すための各符号、例えば「Ａ」「Ｂ」「Ｃ」等が記憶される。例えば画像番号Ｎｏ４、Ｎｏ５、Ｎｏ６と番号Ｎｏ１７、Ｎｏ１８、Ｎｏ１９との各画像データの各グループ欄には、それぞれ符号「Ａ」が記憶されている。これにより、番号Ｎｏ４、Ｎｏ５、Ｎｏ６の各個人画像データと番号Ｎｏ１７、Ｎｏ１８、Ｎｏ１９の各提供画像データとは、組み合せて再生される関係にあることを示す。同様に、番号Ｎｏ７、Ｎｏ８と番号Ｎｏ１３、Ｎｏ１４との各画像データの各グループ欄には、それぞれ符号「Ｂ」が記憶されている。これにより、番号Ｎｏ７の個人画像データと番号Ｎｏ１３、Ｎｏ１４の各提供画像データとは、組み合せて再生される関係にあることを示す。又、番号Ｎｏ９と番号Ｎｏ２２、Ｎｏ２３との各画像データの各グループ欄には、それぞれ符号「Ｃ」が記憶されている。これにより、番号Ｎｏ９の個人画像データと番号Ｎｏ２２、Ｎｏ２３の各提供画像データとは、組み合せて再生される関係にあることを示す。
【００３０】
符号「Ａ」「Ｂ」「Ｃ」のグループに属する具体的な画像データについて図３を参照して説明する。  
上記図２に示すのと同様に、画像番号Ｎｏ１〜Ｎｏ９は、それぞれ個人画像データである。画像番号Ｎｏ１３、Ｎｏ１４、Ｎｏ１７、Ｎｏ１８、Ｎｏ１９、Ｎｏ２２、Ｎｏ２３は、それぞれ提供画像データである。  
このうち画像番号Ｎｏ４〜Ｎｏ６の各個人画像データは、撮影場所Ｐ１で共通する。画像番号Ｎｏ１７〜Ｎｏ１９の各提供画像データも撮影場所Ｐ１で共通する。これら画像番号Ｎｏ１７〜Ｎｏ１９の各提供画像データは、上記画像番号Ｎｏ４〜Ｎｏ６の各個人画像データの撮影場所である撮影場所Ｐ１に設置されている外部施設において撮影されたもので、例えば外部データベース３２に記憶されているホテルの提供画像データＤ１、例えばホテルの外観、メインディシュ及び客室内等の画像データから提供される。  
画像番号Ｎｏ４〜Ｎｏ６の各個人画像データは、符号「Ａ」のグループに属する。画像番号Ｎｏ１７〜Ｎｏ１９の各提供画像データも符号「Ａ」のグループに属する。従って、画像番号Ｎｏ４〜Ｎｏ６の各個人画像データと画像番号Ｎｏ１７〜Ｎｏ１９の各提供画像データとは、組み合せての再生の対象になる。
【００３１】
画像番号Ｎｏ７、Ｎｏ８の個人画像データは、撮影場所Ｐ２で共通する。画像番号Ｎｏ１３、Ｎｏ１４の各提供画像データも撮影場所Ｐ２で共通する。これら画像番号Ｎｏ１３、Ｎｏ１４の各提供画像データは、上記画像番号Ｎｏ７の各個人画像データの撮影場所である撮影場所Ｐ２に設置されている外部施設において撮影されたもので、例えば外部データベース３２に記憶されているケーキ店の提供画像データＤ２、例えばケーキ店から提供された店の外観とケーキ等の画像データから提供される。
【００３２】
画像番号Ｎｏ７、Ｎｏ８の各個人画像データは、符号「Ｂ」のグループに属する。画像番号Ｎｏ１３、Ｎｏ１４の各提供画像データも符号「Ｂ」のグループに属する。従って、画像番号Ｎｏ７、Ｎｏ８の各個人画像データと画像番号Ｎｏ１３、Ｎｏ１４の各提供画像データとは、組み合せての再生の対象になる。  
画像番号Ｎｏ９の個人画像データは、撮影場所Ｐ３である。画像番号Ｎｏ２２、Ｎｏ２３の各提供画像データは、撮影場所Ｐ３で共通する。これら画像番号Ｎｏ２２、Ｎｏ２３の各提供画像データは、上記画像番号Ｎｏ９の個人画像データの撮影場所である撮影場所Ｐ３に設置されている外部施設において撮影されたもので、例えば外部データベース３２に記憶されている宝石ショップの提供画像データＤ３、例えば宝石店の指輪とネックレス等の画像データから提供される。
【００３３】
画像番号Ｎｏ９の個人画像データは、符号「Ｃ」のグループに属する。画像番号Ｎｏ２２、Ｎｏ２３の各提供画像データも符号「Ｃ」のグループに属する。従って、画像番号Ｎｏ９の個人画像データと画像番号Ｎｏ２２、Ｎｏ２３の各提供画像データとは、組み合せての再生の対象になる。
【００３４】
次に、所定のタイミングで再生される音声データについて具体的に説明する。  
図４は記憶部１７に記憶されている音声データの一部の内容の模式図を示す。記憶部１７には、各音声データの内容を示すために音声番号と、ファイル名と、撮影（入手）日時と、提供画像と、グループとの各欄が形成されている。ファイル名の欄には、画像データと同期して再生される音声について画像のファイル名と同じ番号が記憶され、かつ拡張子「ｗａｖ」が付される。
【００３５】
音声番号Ｎｏ１の音声データは、ファイル名「００１１４．ｗａｖ」であり、図２に示す画像番号Ｎｏ１４の画像データと同じく撮影場所Ｐ２、すなわち外部データベース３２に記憶されているケーキ店の提供画像データＤ２、例えばケーキ店から提供された店の外観とケーキ等の画像データから提供される。そして、この音声番号Ｎｏ１の音声データは、画像番号Ｎｏ１４の画像データと同じく符号「Ｂ」のグループに属する。  
音声番号Ｎｏ２の音声データは、ファイル名「００１２３．ｗａｖ」であり、図２に示す画像番号Ｎｏ９、Ｎｏ２２、Ｎｏ２３の各画像データと同じく撮影場所Ｐ３、すなわち外部データベース３２に記憶されている宝石ショップの提供画像データＤ３、例えば宝石店の指輪とネックレス等の画像データから提供される。そして、この音声番号Ｎｏ２の音声データは、画像番号Ｎｏ９、Ｎｏ２２、Ｎｏ２３の各画像データと同じく符号「Ｃ」のグループに属する。この音声番号Ｎｏ２の音声データは、ファイル名「００１２３．ｗａｖ」であるので、画像番号Ｎｏ２３の画像データに対応する。
【００３６】
図５は上記図３に示す各画像データをスライドショーにより再生するときの各画像データの順番を示す。提供画像データの再生タイミングのルールについては種々ある。本実施の形態では、提供画像データが存在すると、当該提供画像データの全てを個人画像データに先立って再生するルールを採用する。同図は各画像データの例えば左側上方に画像番号Ｎｏを付すと共に、同画像番号Ｎｏに並べて再生する画面順番（１）（２）…（３）を示す。
【００３７】
以下の画像データの再生は、主に再生制御部１１ａによって制御される。  
画像番号Ｎｏ１〜Ｎｏ３までの各画像データは、提供画像データが存在しない個人画像データである。これら個人画像データは、通常のスライドショーと同様に、一定時間間隔で画像番号Ｎｏ１→Ｎｏ２→Ｎｏ３の順番で表示部２３に表示される。
【００３８】
画像番号Ｎｏ３の個人画像データを表示した後、画像番号Ｎｏ４の個人画像データを表示する前には、画面順番（４）において提供画像データを再生するか否かの判断画像データＱを表示部２３に表示する。判断画像データＱを表示するのは、提供画像データを飛ばして個人画像データのみを再生させたい場合もあるからである。この判断画像データＱは、例えば「ホテルから受け取った写真があります。再生しますか？  ＹＥＳ／ＮＯ」の内容を有する。  
ここで、操作者による操作部２２に対する操作により提供画像データの表示を許可する「ＹＥＳ」の指示があると、画像番号Ｎｏ４の個人画像データの表示の前に、当該画像番号Ｎｏ４の個人画像データの属するグループ「Ａ」と同一グループ「Ａ」に属する画像番号Ｎｏ１７、Ｎｏ１８、Ｎｏ１９の各提供画像データが画面順番（５）〜（７）において順次表示部２３に割り込み再生する。
【００３９】
これら画像番号Ｎｏ１７、Ｎｏ１８、Ｎｏ１９の各提供画像データは、外部データベース３２に記憶されているホテルの提供画像データＤ１から提供されるもので、先ず画像番号Ｎｏ１７は、例えばホテルの外観を撮影した提供画像データ、次の画像番号Ｎｏ１８は、メインディッシュを撮影した提供画像データ、次の画像番号Ｎｏ１９は、客室内を撮影した提供画像データである。なお、これら画像番号Ｎｏ１７〜Ｎｏ１９の各提供画像データは、検索部１１ｂによって外部データベース３２を検索することにより提供される。
【００４０】
これら画像番号Ｎｏ１７〜Ｎｏ１９の各提供画像データを表示部２３に表示するときは、個人画像データではなく提供画像データであることを明確に区別させるために、例えば表示部２３の画面左側上方に識別マークｍを表示する。これにより、各画像番号Ｎｏ１７、Ｎｏ１８、Ｎｏ１９の各提供画像データには、それぞれ識別マークｍが表示される。なお、これら画像番号Ｎｏ１７、Ｎｏ１８、Ｎｏ１９の各提供画像データを表示する時間間隔は、例えば予め設定された時間間隔毎であったり、任意に設定された時間間隔毎である。
【００４１】
以上のように画像番号Ｎｏ１７〜Ｎｏ１９の各提供画像データの再生が終了すると、次に、画面順番（８）〜（１０）において、画像番号Ｎｏ４〜Ｎｏ６の各個人画像データが順番に表示部２３に再生される。  
続いて、画像番号Ｎｏ７の個人画像データを表示する前に、再び、提供画像データを再生するか否かの判断画像データＱが画面順番（１１）において表示部２３に表示される。この判断画像データＱは、上記同様に、例えば「ホテルから受け取った写真があります。再生しますか？  ＹＥＳ／ＮＯ」の内容を有する。  
ここで、操作者による操作部２２に対する操作により提供画像データの表示を許可する「ＹＥＳ」の指示があると、画像番号Ｎｏ７の個人画像データの表示の前に、当該画像番号Ｎｏ７の個人画像データの属するグループ「Ｂ」と同一グループ「Ｂ」に属する画像番号Ｎｏ１３、Ｎｏ１４の各提供画像データが画面順番（１３）（１４）において順次表示部２３に割り込み再生される。
【００４２】
これら画像番号Ｎｏ１３、Ｎｏ１４の各提供画像データは、検索部１１ｂによって外部データベース３２のケーキ店の提供画像データＤ２を検索することにより提供されるもので、先ず画像番号Ｎｏ１３は、例えばケーキ店の外観を撮影した提供画像データであり、次の画像番号Ｎｏ１４は、ケーキを撮影した提供画像データである。これら画像番号Ｎｏ１３、Ｎｏ１４の各提供画像データも表示部２３に表示するときも上記同様に、個人画像データではなく提供画像データであることを明確に区別させるために、例えば表示部２３の画面左側上方に識別マークｍを表示する。これにより、各画像番号Ｎｏ１３、Ｎｏ１４の各提供画像データには、それぞれ識別マークｍが表示される。
【００４３】
又、各画像番号Ｎｏ１３、Ｎｏ１４の各提供画像データは、グループ「Ｂ」に属しており、このうち画像番号Ｎｏ１４の提供画像データには、図４に示すように音声番号Ｎｏ１の音声データが存在する。これにより、記録再生部１６の音声再生部は、記憶部１７からファイル名「００１１４．ｗａｖ」の音声番号Ｎｏ１の音声データを読み出し、この音声データを伸長して音声処理部２０に送る。この音声処理部２０は、記録再生部１６の音声再生部によって伸長された音声データをアナログの音声信号に変換してスピーカ２１に出力し、このスピーカ２１を鳴動する。
【００４４】
以上のように画像番号Ｎｏ１３、Ｎｏ１４の各提供画像データの再生が終了すると、次に画像番号Ｎｏ７、Ｎｏ８の各個人画像データが画面順番（１４）（１５）において順番に表示部２３に再生される。  
続いて、画像番号Ｎｏ９の個人画像データを表示する前に、再び、提供画像データを再生するか否かの判断画像データＱが画面順番（１６）において表示部２３に表示される。ここで、操作者による操作部２２に対する操作により提供画像データの表示を許可する「ＹＥＳ」の指示があると、画像番号Ｎｏ９の個人画像データの表示の前に、当該画像番号Ｎｏ９の個人画像データの属するグループ「Ｃ」と同一グループ「Ｃ」に属する画像番号Ｎｏ２２、Ｎｏ２３の各提供画像データが画面順番（２２）（２３）において順次表示部２３に割り込み再生される。
【００４５】
これら画像番号Ｎｏ２２、Ｎｏ２３の各提供画像データは、検索部１１ｂによって外部データベース３２に記憶されている宝石ショップの提供画像データＤ３から提供されるもので、先ず画像番号Ｎｏ２２は、例えばネックレスを撮影した提供画像データ、次の画像番号Ｎｏ２３は、指輪を撮影した提供画像データである。これら画像番号Ｎｏ２２、Ｎｏ２３の各提供画像データも表示部２３に表示するときも個人画像データではなく提供画像データであることを明確に区別させるために識別マークｍを表示する。
【００４６】
又、各画像番号Ｎｏ２２、Ｎｏ２３の各提供画像データは、グループ「Ｃ」に属しており、このうち画像番号Ｎｏ２３の提供画像データには、図４に示すように音声番号Ｎｏ２の音声データが存在する。これにより、記録再生部１６の音声再生部は、記憶部１７からファイル名「００１２３．ｗａｖ」の音声番号Ｎｏ２の音声データを読み出し、この音声データを伸長して音声処理部２０に送る。この音声処理部２０は、記録再生部１６の音声再生部によって伸長された音声データをアナログの音声信号に変換してスピーカ２１に出力し、このスピーカ２１を鳴動する。  
これ以降、上記同様に、最後の画像番号の画像データまでスライドショーが継続される。
【００４７】
なお、判断画像データＱは、個人画像データの属するグループと同一グループに属する提供画像データが存在する毎に表示しているが、これに限らず、最初の設定で提供画像データの割り込み再生の可否を纏めて設定可能とするようにしてもよい。  
提供画像データの再生タイミングは、他のタイミングに変更可能である。例えば上記説明では、個人画像データの前に当該個人画像データに対応する提供画像データを表示しているが、これに限らず、提供画像データを個人画像データの後に表示するようにしてもよい。例えば、画像番号Ｎｏ６の個人画像データの表示の次に画像番号Ｎｏ１７〜Ｎｏ１９の各提供画像データを順次再生表示してもよい。
【００４８】
このように個人の撮影により取得した個人画像データを再生する際に、当該個人画像データに対応する場所で提供された提供画像データを補助画像データとして適切なタイミング、例えば個人画像データの表示の前又は後のタイミングで組み合わせて再生するので、個人の撮影によりその場所で十分に撮影できなかった場合でも、画像の鑑賞を楽しんでみることができる。外部データベース３２等の外部から入手した提供画像データを孤立して再生するのではなく、その場所での個人画像データに合わせて再生するので、ストーリ性のある再生ができる。
【００４９】
又、提供画像データと個人画像データとの再生タイミングを予め編集することなく、外部から入手された提供画像データを個人画像データに合わせて再生できるので、使い勝手が非常によい。また、提供された音声データがあれば、同時に再生されるので、再生も効果がさらに増すことができる。
【００５０】
提供画像データだけを纏めて再生するのではなく、提供画像データを個人画像データに個別に割り込ませて再生させることもできる。この場合、提供画像データを割り込ませるタイミングをプログラムするタイミングデータを予め用意しておけば簡単である。このようなタイミングデータは、外部施設（例えばホテル）が作成準備して、外部データベース３２に画像データと共に送信可能に格納してあれば、利用性が高い。このようなタイミングデータを利用すれば、カメラ１で複雑なタイミングの再生でも簡単に実現できる。
【００５１】
図６はタイミングデータを利用しての例えば画像番号Ｎｏ１７、Ｎｏ１８の各提供画像データの再生例を示す。一般ユーザは、例えば画像番号Ｎｏ１７のホテルの外観を撮影した提供画像データを最初に再生する等して、ストーリ性を加味した再生を行いたい場合がある。この場合、一般ユーザによって操作部２２が操作され、タイミングデータを利用することが選択されると、再生制御部１１ａは、タイミングデータに従い画像番号Ｎｏ１７の提供画像データの再生タイミングをグループの先頭に指示する。これにより、検索部１１ｂは、外部データベース３２に記憶されている画像番号Ｎｏ１７の提供画像データを検索する。これにより、再生制御部１１ａは、画像番号Ｎｏ１７の提供画像データを、画面順番（１）に示すように表示制御部１８によって表示部２３に最初に再生させる。
【００５２】
次に、撮影日時に従って画面順番（２）において画像番号Ｎｏ４の個人画像データが再生される。  
次に、タイミングデータでは、画像番号Ｎｏ１８のディナーのメインディッシュの提供画像データが撮影日時として当日の時刻２０：００に相当する個人画像データの時間的に前後に再生されるように設定になっているものとする。しかるに、画像番号Ｎｏ４の個人画像データの撮影日時は、時刻１４：００である。画像番号Ｎｏ５の個人画像データの撮影日時は、時刻２１：００である。これにより、再生制御部１１ａは、画像番号Ｎｏ１８のディナーのメインディッシュの提供画像データを、画面順番（３）において、画像番号Ｎｏ４とＮｏ５との各個人画像データの間に再生する。
【００５３】
次に、タイミングデータでは、画像番号Ｎｏ１９の客室内の提供画像データが当日夜中に再生されるように設定になっているものとする。しかるに、画像番号Ｎｏ６の個人画像データの撮影日時は翌日９：００である。これにより、再生制御部１１ａは、画像番号Ｎｏ１９の客室内の提供画像データを、画面順番（５）において、画像番号Ｎｏ５とＮｏ６との各各個人画像データの間に再生する。  
最後に画像番号Ｎｏ６の個人画像データが再生される。
【００５４】
このように提供画像データをその画像の内容に応じて個人画像データの撮影時間とタイミングを合わせるようにして再生すれば、提供画像データと個人画像データとの違和感がより少なくなり、個人画像データの不足分を補助するだけでなく、更にストリー性の豊かな再生が実現できる。  
上記図５は提供画像データを個人画像データと別々に表示する例を示すが、これに限ることはなく、例えば合成した画像を表示するようにしてもよい。図７は上記図５に示す再生する順番（３）〜（９）の各画像データに対して合成画像データを作成して表示した例を示す。
【００５５】
上記図４に示すスライドショーは、例えば画像番号Ｎｏ１７〜Ｎｏ１９等の提供画像データの再生の順番になると、判断画像データＱを表示して当該提供画像データの表示の有無を判断するようにした。  
これに対して図７に示す表示例は、例えば画像番号Ｎｏ４の個人画像データに例えば画像番号Ｎｏ１７、Ｎｏ１８等の提供画像データを合成した合成画像データを表示することで当該提供画像データの存在を知らせる。この合成画像データは、画像合成部１８ａにより作成される。
【００５６】
以下、画像合成部１８ａによる個人画像データと提供画像データとの画像合成について具体的に説明する。  
画面順番（１）において、画像番号Ｎｏ３の個人画像データを再生表示した後、画面順番（２）において、画像番号Ｎｏ４の個人画像データが再生表示される。この画像番号Ｎｏ４の個人画像データには、例えば画像番号Ｎｏ１７、Ｎｏ１８の各提供画像データが各小画像データａ、ｂとして画像合成部１８ａによって合成される。なお、画像番号Ｎｏ１７、Ｎｏ１８の各提供画像データは、画像番号Ｎｏ４の個人画像データの属するグループ「Ａ」と同一グループである。画像番号Ｎｏ１９の提供画像データは、除いている。
【００５７】
この状態で、例えば操作部２２に備えられている左右選択ボタンに対して一般ユーザが選択操作すると、画像番号Ｎｏ１７又はＮｏ１８のいずれか一方の提供画像データが選択される。すなわち、画面順番（２）に示すように最初、画像番号Ｎｏ４の個人画像データが選択されている。この個人画像データは、例えば太枠Ｃによって囲われて選択されていることが示されている。
【００５８】
この状態で、例えば一般ユーザによって右選択ボタンが操作されると、画面順番（３）に示すように画像番号Ｎｏ１７の小画像データａが選択される。この選択により画像番号Ｎｏ１７の小画像データａは、太枠Ｃによって囲まれて表示される。  
この画像番号Ｎｏ１７の小画像データａが選択された太枠Ｃによって囲まれて表示されている状態に、一般ユーザによって操作部２２に備えられているＯＫボタンが操作されると、画面順番（６）に示すように画像番号Ｎｏ１７の小画像データａが画像番号Ｎｏ４の個人画像データに代わって拡大表示される。この拡大表示された画像番号Ｎｏ１７の個人画像データには、提供画像データを表す識別マークｍが表示される。これと共に、画像番号Ｎｏ４の個人画像データは、子画像データｅとして縮小されて表示される。
【００５９】
このように画像番号Ｎｏ１７の個人画像データが拡大表示されている状態に、例えば一般ユーザによって右選択ボタンが操作されると、画面順番（７）に示すように画像番号Ｎｏ１８の小画像データｂが画像番号Ｎｏ１７の個人画像データに代わって拡大表示される。この拡大表示された画像番号Ｎｏ１８の提供画像データにも提供画像データを表す識別マークｍが表示される。このときも画像番号Ｎｏ４の個人画像データは、子画像データｅとして縮小されて表示される。
【００６０】
次に、画像番号Ｎｏ１８の提供画像データが拡大表示されている状態に、例えば一般ユーザによって右選択ボタンが操作されると、画面順番（５）に示すように画像番号Ｎｏ４の個人画像データの表示に戻り、子画像データｅの表示は、解除される。
【００６１】
一方、上記画面順番（３）に示す表示状態で、一般ユーザによる左右ボタンの操作によって小画像データｂが選択されると、画面順番（４）に示すように小画像データｂは、太枠Ｃにより囲まれて表示される。ここで、ＯＫボタンが操作されると、画面順番（７）に示すように小画像データｂである画像番号Ｎｏ１８の提供画像データが画像番号Ｎｏ４の個人画像データに代わって拡大表示される。これと共に、画像番号Ｎｏ４の個人画像データは、子画像データｅとして縮小されて表示される。
【００６２】
画面順番（７）に示すように画像番号Ｎｏ１８の提供画像データが拡大表示されている状態に、ＯＫボタンが操作されると、画面順番（５）に示すように画像番号Ｎｏ４の個人画像データの表示に戻り、子画像データｅの表示は、解除される。
【００６３】
又、画面順番（２）に示すように画像番号Ｎｏ４の個人画像データが表示されている状態に、ＯＫボタンが押されると、画面順番（５）に示すように画像番号Ｎｏ４の個人画像データのみの表示に切り換わる。これ以降、通常のスライドショーのタイミングで、画面順番（９）の個人画像データの表示に自動的に切り換わる。  
以上のように画像合成部１８ａによって個人画像データに提供画像データを合成してその合成画像データで表示するので、判断画像データＱを表示しなくても、提供画像データの表示を選択操作することができる。
【００６４】
次に、上記の如く構成されたカメラ１における個人画像データと提供画像データとの組み合せ再生の動作について説明する。  
これら個人画像データと提供画像データとの組み合せ再生処理は、主に制御部１１と、再生制御部１１ａと、検索部１１ｂと、記録再生部１６と、表示制御部１８と、画像合成部１８ａと、通信部２１とによって実行される。
【００６５】
図８は各外部施設からの提供画像データを入手する手順のフローチャートを示す。  
カメラ１は、通信モードに設定され、かつネットワーク３０に接続されて外部サーバ３１に対してアクセス可能な状態にある。  
ここで、提供画像データの入手方法として２つの方法がある。第１の方法では、個人画像データを指定すると、この指定された個人画像データの場所からリンクする例えば店舗や施設等を自動的に検出し、この検出された例えば店舗から自動的に提供画像データを入手する。第２の方法では、操作者（一般ユーザ）が手動によって提供画像データを入手する。
【００６６】
先ず、操作者（一般ユーザ）は、操作部２２を操作して提供画像データの入手方法として第１の方法又は第２の方法を選択する。ここで、第１の方法である個人画像データから外部施設をリンクして提供画像データを入手する方法が選択されると、制御部１１は、ステップＳ１１において、個人画像データから外部施設をリンクして提供画像データを入手する第１の方法を選択とした判断し、ステップＳ１２に移って操作者の操作部２２に対する操作を受け、表示部２３の表示画面上において外部施設を検索するための個人画像データを特定する。
【００６７】
次に、検索部１１ｂは、ステップＳ１３において、特定された個人画像データに付帯された位置情報を記憶部１７から読み出し、この位置情報に対応する外部施設の呼び出し指示を通信部２１からネットワーク３０を通して外部サーバ３１に送る。  
この外部サーバ３１は、外部データベース３２をアクセスし、この外部データベース３２から特定された個人画像データに付帯された位置情報に一致又は近似する外部施設を検索する。この外部サーバ３１は、検索した外部施設から提供されるデータ（提供データ）をネットワーク３０を通してカメラ１に返送する。この外部サーバ３１からの提供データは、提供画像データや音声データ、提供画像データの表示順番を規定するプログラムデータ等を含む。
【００６８】
カメラ１の通信部２１は、ステップＳ１７において、外部サーバ３１から返送された提供データを受信する。この提供データのうち提供画像データは、表示制御部１８によって表示部２３に確認用として表示される。これと共に記録再生部１６は、ステップＳ１８において、提供画像データや音声データ、提供画像データの表示順番を規定するプログラムデータ等を記憶部１７に記憶する。
【００６９】
なお、外部サーバ３１から自動的に所定の外部施設の提供画像データ等を返送するようにしたが、これに限らず、外部サーバ３１は、外部施設のホームページを検索して当該ホームページを情報をカメラ１に送信するようにしてもよい。このカメラ１は、外部サーバ３１から送られてきた外部施設のホームページの情報に基づいて外部施設のホームページを検索し、このホームページを表示制御部１８によって表示部２３に表示する。そして、カメラ１に表示された該当する外部施設のホームページを見て操作者は、操作部２２を操作して自ら欲しい提供画像データ等を選択する。この選択された提供画像データ等は、制御部１１によって通信部２１からネットワーク３０を通して外部サーバ３１に送られる。
【００７０】
この外部サーバ３１は、選択された提供画像データを含む提供データをネットワーク３０を通してカメラ１に返送する。この外部サーバ３１からの提供データは、上記同様に、提供画像データや音声データ、提供画像データの表示順番を規定するプログラムデータ等を含む。  
そして、上述したと同様に、カメラ１の通信部２１は、ステップＳ１７において、外部サーバ３１から送られてくる選択された提供画像データ等を含む提供データを受信する。この提供データのうち提供画像データは、表示制御部１８によって表示部２３に確認用として表示される。これと共に記録再生部１６は、ステップＳ１８において、提供画像データや音声データ、提供画像データの表示順番を規定するプログラムデータ等を記憶部１７に記憶する。
【００７１】
一方、検索部１１ｂは、ステップＳ１１において、操作者からの直接外部施設を指定してアクセスする第２の方法を選択したことを判断すると、ステップＳ１４に移り、操作者からの直接外部施設を指定する旨の指示を通信部２１からネットワーク３０を通して外部サーバ３１に送る。これにより、外部サーバ３１は、外部施設の一覧リストをネットワーク３０を通してカメラ１に返送する。
【００７２】
カメラ１は、外部サーバ３１から返送された外部施設の一覧リストを表示制御部１８によって表示部２３に表示する。これを見た操作者は、操作部２２を操作して表示部２３に表示されている外部施設の一覧リストから希望する外部施設と指定する。これにより、検索部１１ｂは、ステップＳ１４において、通信部２１からネットワーク３０を通して外部サーバ３１にアクセスし、指定された外部施設のホームページを検索する。そして、検索部１１ａは、ステップＳ１５において、外部サーバ３１をアクセスすることにより外部施設のホームページの情報を入手し、表示制御部１８は、当該外部施設のホームページを表示部２３に表示する。
【００７３】
この外部施設のホームページを表示している状態で、操作者は、操作部２２を操作することにより当該ホームページ中から提供画像データ等を選択する。これにより、制御部１１は、ステップＳ１６において、操作部２２の操作を受けてホームページ中の提供画像データ等の選択を受けると、次のステップＳ１７において、外部サーバ３１から送られてくる選択された提供画像データ等を含む提供データを受信する。この提供データのうち提供画像データは、表示制御部１８によって表示部２３に確認用として表示される。これと共に記録再生部１６は、ステップＳ１８において、提供画像データや音声データ、提供画像データの表示順番を規定するプログラムデータ等を記憶部１７に記憶する。
【００７４】
図９は再生モードにおける動作処理の手順を説明するフローチャートを示す。  
カメラ１は、再生モードに設定されている。制御部１１は、ステップＳ２１において、スライドショーを選択したか否かを判断する。この判断の結果、スライドショーが選択されていなければ、制御部１１は、ステップＳ２２に移り、通常の再生モードとして操作者によって画像データが選択されたか否かを待つ。この状態で、操作者の操作部２２に対する操作により個人画像データ又は提供画像データの画像データが選択されると、再生制御部１１ａは、ステップＳ２３に移り、選択された画像データを記憶部１７から読み出し、この画像データを表示制御部１８によって表示部２３に再生する。なお、再生制御部１１ａは、ステップＳ２４において、操作者の操作部２２に対する操作により終了指示を受けると、再生モードを終了する。
【００７５】
一方、制御部１１は、ステップＳ２１において、スライドショーが選択されたことを判断すると、ステップＳ２５に移り、操作者の操作部２２に対する操作によりスタート指示の入力を待つ。そして、スライドショーのスタート指示が入力されると、制御部１１は、ステップＳ２６に移り、スライドショーの処理を実行する。
【００７６】
図１０はスライドショー処理のサブルーチンのフローチャートを示す。  
ここで、提供画像データを表示するか否かの選択と、１コマ表示時に提供画像データの割り込みを自動で許可するか又は毎回選択するようにするかの選択と、提供画像データの表示形態として１コマ表示と合成表示のいずれかの選択とは、いずれも表示部２３に予め表示されるスライドショーの条件設定画面上で操作部２２を操作することにより設定される。  
以下では、説明簡便のため提供データとして提供画像データを代表して説明するが、音声データがあれば、この音声データと提供画像データとを同時に再生したり、或いは音声データのみ単独で再生するものとする。
【００７７】
再生制御部１１ａは、ステップＳ３１において、記憶部１６から画像データを読み出す。このときスライドショーの開始時であれば、再生制御部１１ａは、特に指定がない限り例えば図２に示す画像番号Ｎｏ１の個人画像データから読み出しを開始される。  
次に、再生制御部１１ａは、ステップＳ３２において、画像番号Ｎｏ１の個人画像データに対応する提供画像データが存在するか否かを判断する。すなわち、再生制御部１１ａは、記憶部１７を検索して画像番号Ｎｏ１の個人画像データに対応する提供画像データが存在するか否かを判断し、当該対応する提供画像データが例えば１つ又は複数存在すれば、その提供画像データが画像番号Ｎｏ１の個人画像データの撮影場所と同一か又は近似した位置であるかを否か判断する。
【００７８】
この判断の結果、画像番号Ｎｏ１の個人画像データに対応する提供画像データが存在しなければ、再生制御部１１ａは、ステップＳ３３に移り、表示制御部１８によって画像番号Ｎｏ１の個人画像データのみを表示部２３に表示する。
【００７９】
一方、画像番号Ｎｏ１の個人画像データに対応する提供画像データが存在し、かつ画像番号Ｎｏ１の個人画像データの撮影場所と同一か又は近似した位置であれば、再生制御部１１ａは、ステップＳ３４に移り、提供画像データの表示モードに設定されているか否かを判断する。  
この判断の結果、提供画像データの表示モードに設定されていれば、再生制御部１１ａは、ステップＳ３５に移り、提供画像データの割り込みが自動割り込みか又はその都度選択かのいずれかに設定されているかを判断する。なお、上記図５に示す各画像データをスライドショーにより再生するときの順番の例は、提供画像データの割り込みがその都度選択される場合を示す。但し、表示形態として合成表示が選択されている場合は、提供画像データの割り込みについて自動許可が設定されているとする。
【００８０】
なお、自動割り込みが設定されていなければ、再生制御部１１ａは、ステップＳ３６に移り、例えば上記図５に示す例えば画面順番（４）に示したように判断画像データＱを表示部２３に表示する。次に、制御部１１は、ステップＳ３７において、判断画像データＱを表示した画面上において提供画像データの割り込みを許可したか否かを判断し、許可されたと判断するとステップＳ３８に進む。  
自動割り込みが設定されていると、制御部１１は、ステップＳ３５からステップＳ３８にジャンプする。
【００８１】
なお、再生制御部１１ａは、上記ステップＳ３２の判断の結果、上記の如く個人画像データに対応する提供画像データが記憶部１７に記憶されていなかったり、上記ステップＳ３４の判断の結果、提供画像データを表示するモードに設定されていなかったり、又は上記ステップＳ３７の判断の結果、提供画像データの割り込みの許可がされていないと、上記ステップＳ３３に移り、個人画像データのみを一定時間で切り換えて一定時間再生する。一定時間個人画像データのみを再生後、再生制御部１１ａは、ステップＳ４８に進む。
【００８２】
次に、再生制御部１１ａは、ステップＳ３８において、表示形態として１コマ表示が選択されているか否かを判断する。この判断の結果、１コマ表示が選択されていると、検索部１１ｂは、ステップＳ３９に移り、個人画像データに対応する提供画像データ、例えば画像番号Ｎｏ４の個人画像データに対応するグループ「Ａ」に属する画像番号Ｎｏ１７の提供画像データを記憶部１７から読み出す。そして、再生制御部１１ａは、ステップＳ４０において、表示制御部１８を制御して画像番号Ｎｏ１７の提供画像データを表示部２３に再生する。  
このとき表示制御部１８は、ステップＳ４１において終了指示があったか否かを判断し、次のステップＳ４２において一定時間経過、例えば２秒経過したか否かを判断する。これにより、表示制御部１８は、終了指示がなければ、例えば２秒経過するまで例えば画像番号Ｎｏ１７の提供画像データを表示部２３に継続して再生する。  
画像番号Ｎｏ１７の提供画像データを再生している途中に、操作者からの終了指示があると、制御部１１は、スライドショーの処理を終了する。
【００８３】
画像番号Ｎｏ１７の提供画像データを表示部２３に継続して再生し、一定時間経過、例えば２秒経過すると、再生制御部１１ａは、ステップＳ４２からステップＳ４３に移り、画像番号Ｎｏ１７の提供画像データがグループ「Ａ」に属する最後の提供画像データであるか否かを判断する。この判断の結果、最後の提供画像データでなければ、再生制御部１１ａは、ステップＳ３９に戻り、例えばグループ「Ａ」に属する画像番号Ｎｏ１８の提供画像データを読み出す。これにより、再生制御部１１ａは、再度、ステップＳ４０〜Ｓ４２を実行し、一定時間、例えば２秒経過するまで例えば画像番号Ｎｏ１８の提供画像データを表示部２３に継続して再生する。  
最後の提供画像データであれば、再生制御部１１ａは、ステップＳ４３からステップＳ４４に移り、上記ステップＳにおいて読み出した個人画像データを再生し、次のステップＳ４８に進む。
【００８４】
一方、表示形態として１コマ表示ではなく合成表示が選択されると、検索部１１ｂは、ステップＳ３８からステップＳ４５に移り、例えば画像番号Ｎｏ４の個人画像データに対応するグループ「Ａ」に属する画像番号Ｎｏ１７の提供画像データを記憶部１７から読み出す。  
次に、合成画像部１８ａは、ステップＳ４７において、上記ステップＳ３１で読み出した例えば画像番号Ｎｏ４の個人画像データと、ステップＳ４５で読み出した当該画像番号Ｎｏ４の個人画像データに対応する例えば画像番号Ｎｏ１７、Ｎｏ１８の各提供画像データとの合成画像データを作成する。そして、合成画像部１８ａは、上記図７に示すような例えば画像番号Ｎｏ４の個人画像データに例えば画像番号Ｎｏ１７、Ｎｏ１８等の提供画像データを合成した合成画像データを表示することで当該提供画像データの存在を知らせる。なお、図７に示す再生する順番（３）〜（９）に従った合成画像データの作成については上記説明の通りである。
【００８５】
次に、再生制御部１１ａは、ステップＳ４８において、現在表示している個人画像データが記憶部１７に記憶されている最後の個人画像データであるか否かを判断し、最後の個人画像データであれば、スライドショーの処理を終了する。個人画像データがさらに有れば、制御部１１は、ステップＳ３１に戻り、次の画像番号の個人画像データを読み出し、再度上記の処理を繰り返す。
【００８６】
このように上記一実施の形態によれば、個人画像データの再生中に、この個人画像データに対して少なくとも撮影場所で関連する提供画像データ、例えば個人画像データを取得した撮影場所と一致又は個人画像データを取得した撮影場所の付近で撮影された提供画像データを補助画像データとして再生するので、個人画像データと提供画像データとのそれぞれ２種類の異なるタイプの画像データを適切なタイミングで組み合わせて再生できる。これにより、１種類の画像だけを見るよりも、より画像を楽しんでみることができる。又、提供画像データは、例えば外部データベース３２をアクセスすることにより例えば観光地、美術館、博物館、ホテル、ショップ等々の外部施設のホームページの各種情報から入手したものであり、広告的価値が高く、提供画像データを供給する会社等にとってもメリットが大きい。
【００８７】
しかるに、一般ユーザ自身の撮影により取得した個人画像データと観光施設等からネットワーク３０等を通して提供される提供画像データとを適切に組み合わせて再生することができる。この場合、画像編集装置等を用いて一般ユーザ自身の撮影により取得した個人画像データと観光施設から提供された提供画像データとを組み合せるための並べ替え等の編集処理を行う必要がない。従って、手間をかけずに、一般ユーザ自身の撮影により取得した個人画像データと提供画像データとを適切なタイミングで再生することができる。
【００８８】
さらに、個人画像データを再生する際に、当該個人画像データに対応する場所で提供された提供画像データを補助画像データとして適切なタイミング、例えば個人画像データの表示の前又は後のタイミングで組み合わせて再生するので、個人の撮影によりその場所で十分に撮影できなかった場合でも、画像の鑑賞を楽しんでみることができる。外部データベース３２等の外部から入手した提供画像データを孤立して再生するのではなく、その場所での個人画像データに合わせて再生するので、ストーリ性のある再生ができる。
【００８９】
又、提供画像データと個人画像データとの再生タイミングを予め編集することなく、外部から入手された提供画像データを個人画像データに合わせて再生できるので、使い勝手が非常によい。また、提供された音声データがあれば、同時に再生されるので、再生も効果がさらに増すことができる。さらに、提供画像データだけを纏めて再生するのではなく、提供画像データを個人画像データに個別に割り込ませて再生させることもできる。この場合、提供画像データを割り込ませるタイミングをプログラムするタイミングデータを予め用意しておけば簡単である。このようなタイミングデータは、外部施設（例えばホテル）が作成準備して、外部データベース３２に画像データと共に送信可能に格納してあれば、利用性が高い。このようなタイミングデータを利用すれば、カメラ１で複雑なタイミングの再生でも簡単に実現できる。
【００９０】
又、画像合成部１８ａによって個人画像データに提供画像データを合成してその合成画像データで表示するので、判断画像データＱを表示しなくても、提供画像データの表示を選択操作することができる。  
提供画像データは、個人画像データではなく提供画像データであることを明確に区別させるために、例えば表示部２３の画面左側上方に識別マークｍを表示するので、現在表示されている画像データが個人画像データ又は提供画像データであるのかを容易に識別できる。
【００９１】
なお、本発明は、上記一実施の形態に限定されるものでなく次のように変形してもよい。  
例えば、個人（一般ユーザ）の撮影により取得した画像データを個人画像データとし、例えば事業者（外部施設）から提供される画像データを提供画像データとし、これら画像データを組み合わせて再生することについて説明したが、これに限らず、上記個人（一般ユーザ）とは異なる他の撮影者の撮影により取得された画像データとを組み合わせて再生してもよい。又、提供画像データは、１つに限らず、２種類以上の提供画像データを組み合わせてもよく、これにより、１の個人画像データと２種以上の提供画像データとを組み合わせても再生するようにしてもよい。
【００９２】
画像の再生の形態としてスライドショーを代表例として説明したが、これに限らず、通常の１コマ再生時の再生順番に適用し、個人画像データを再生するときの時間的に前後に、個人画像データの撮影場所と同じ場所又はその付近で撮影された提供画像データを再生するようにしても当然によい。  
画像データとしては、静止画像データを例にして説明してきたが、動画像データであっても同様に適用できる。  
提供画像データは、ネットワーク３０を介して外部データベース３２から入手しているが、これに限らず、本カメラ１以外の各種外部装置、例えば、本カメラ１以外のカメラ、パーソナルコンピュータ、画像編集装置、外部メモリ等から入手してもよい。
【００９３】
一方、制御部１１の各処理は、画像再生プログラム等のソフトウエアで実現するのに限らず、一部又は全てをハードウエアで構成してもよい。ハードウエアとして説明した画像合成部１８ａ等をソフトウエアにより構成してもよい。これらの具体的な構成は設計事項である。  
制御部１１による各制御処理は、ＲＯＭ１３に格納されたソフトウエアプログラムを制御部１１によって実行することによって実現される。従って、上記ソフトウエアのプログラム自体が制御部１１の機能を実現することになる。
【００９４】
記録媒体としては、フラッシュメモリ以外でも、ＣＤ−ＲＯＭ、ＤＶＤ等の光学記録媒体、ＭＤ等の磁気記録媒体、テープ媒体、ＩＣカード等の半導体メモリ等を用いることができる。また、本実施の形態では、デジタルカメラに適用した例を説明したが、これに限らず例えば携帯電話のカメラ或いは画像再生装置単体として適用してもよい。
【００９５】
さらに、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００９６】
【図１】本発明に係る画像再生装置を適用したカメラの一実施の形態を示すブロック構成図。
【図２】同装置における記憶部に記憶されている画像データの内容を示す模式図。
【図３】同装置における記憶部に記憶されている画像データのグループを説明するための図。
【図４】同装置における記憶部に記憶されている音声データの一部の内容を示す模式図。
【図５】同装置による各画像データをスライドショーにより再生するときの順番を示す模式図。
【図６】同装置によるタイミングデータを利用しての各提供画像データの再生例を示す図。
【図７】同装置により合成画像データを作成して表示した例を示す図。
【図８】同装置における各外部施設から提供画像データを入手する手順を示すフローチャート。
【図９】同装置における再生モードにおける動作処理の手順を説明するフローチャート。
【図１０】同装置におけるスライドショー処理のサブルーチンのフローチャートを示す図。
【符号の説明】
【００９７】
１：カメラ、１１：制御部、１２：バスライン、１３：ＲＯＭ、１４：撮像部、１５：ＲＡＭ、１６：記録再生部、１７：記憶部、１８：表示制御部、１９：位置検出部、２０：音声処理部、２１：通信部、２２：操作部、２３：表示部、２４：スピーカ、３０：ネットワーク、３１：外部サーバ、３２：外部データベース。
【図１】
2009232114.tif 000003
【図２】
2009232114.tif 000004
【図３】
2009232114.tif 000005
【図４】
2009232114.tif 000006
【図５】
2009232114.tif 000007
【図６】
2009232114.tif 000008
【図７】
2009232114.tif 000009
【図８】
2009232114.tif 000010
【図９】
2009232114.tif 000011
【図１０】
2009232114.tif 000012